(57)【要約】【課題】チャージポンプ回路の故障を精度良く検出する。【解決手段】電圧検出装置２５を構成する電池監視ＩＣ３は、スイッチ１３、１４、チャージポンプ回路１５、昇圧能力低下部１９などを備える。スイッチ１３、１４は、接続端子４Ｎおよびフィルタ接続端子９から電圧を検出する電圧検出回路１０に至る経路に直列に介在する。チャージポンプ回路１５は、入力電圧Ｖｉを昇圧してスイッチ１３、１４をオン駆動するための昇圧電圧を生成する。昇圧能力低下部１９は、チャージポンプ回路１５の昇圧能力を低下させる能力低下動作を実行する。電圧検出装置２５を構成するマイコン２４は、昇圧能力低下部１９による能力低下動作が実行されていない期間に電圧検出回路１０から出力される検出電圧の値である第１検出値と、能力低下動作が実行されている期間に電圧検出回路１０から出力される第２検出値とに基づいてチャージポンプ回路１５の故障を検出する。【選択図】図１
2018072234.tif 000002
【特許請求の範囲】
【請求項１】
入力ノード（４Ｎ、９）に与えられる電圧を検出する電圧検出装置（２５、３１、４１、５１、６１、７１）であって、
前記入力ノードから電圧を検出する電圧検出回路（１０）に至る経路に直列に介在するスイッチング素子（１３、１４）と、
入力電圧を昇圧して前記スイッチング素子をオン駆動するための昇圧電圧を生成するチャージポンプ回路（１５、５４）と、
前記チャージポンプ回路の昇圧能力を低下させる能力低下動作を実行する昇圧能力低下部（１９、３３、４３、５３、６５、７３）と、
前記昇圧能力低下部による前記能力低下動作が実行されていない期間に前記電圧検出回路から出力される検出電圧の値である第１検出値と、前記能力低下動作が実行されている期間に前記電圧検出回路から出力される第２検出値と、に基づいて、前記チャージポンプ回路の故障を検出する故障検出部（２４）と、
を備える電圧検出装置。
【請求項２】
前記昇圧能力低下部（１９、６５、７３）は、
前記チャージポンプ回路の出力電流を可変する電流可変部（２０、６３）を備え、
前記電流可変部により前記出力電流を増加させることにより前記能力低下動作を実現する請求項１に記載の電圧検出装置。
【請求項３】
前記電流可変部（２０）は、
前記チャージポンプ回路の出力端子に接続された定電流源（２１）およびスイッチ（２２）の直列回路を備え、
前記スイッチをオンすることにより前記出力電流を増加させる請求項２に記載の電圧検出装置。
【請求項４】
前記電流可変部（６３）は、
前記チャージポンプ回路の出力端子に接続された抵抗（６４）およびスイッチ（２２）の直列回路を備え、
前記スイッチをオンすることにより前記出力電流を増加させる請求項２に記載の電圧検出装置。
【請求項５】
前記昇圧能力低下部（３３、７３）は、
前記チャージポンプ回路で用いられるクロック信号の周波数を可変する周波数可変部（３４）を備え、
前記周波数可変部により前記クロック信号の周波数を低下させることにより前記能力低下動作を実現する請求項１から４のいずれか一項に記載の電圧検出装置。
【請求項６】
前記昇圧能力低下部（４３）は、
前記チャージポンプ回路で用いられるクロック信号の電圧レベルを可変する電圧可変部（４４）を備え、
前記電圧可変部により前記クロック信号の電圧レベルを低下させることにより前記能力低下動作を実現する請求項１から５のいずれか一項に記載の電圧検出装置。
【請求項７】
前記昇圧能力低下部（５３）は、
前記チャージポンプ回路の最終段に設けられるコンデンサの容量を可変する容量可変部（Ｃ５１）を備え、
前記容量可変部により前記コンデンサの容量を低下させることにより前記能力低下動作を実現する請求項１から６のいずれか一項に記載の電圧検出装置。
【請求項８】
前記故障検出部は、前記第１検出値と前記第２検出値との差分が所定の閾値以上である場合、前記チャージポンプ回路が故障していると判断する請求項１から７のいずれか一項に記載の電圧検出装置。
【請求項９】
前記故障検出部は、前記第１検出値と前記第２検出値との比が所定の閾値以上である場合、前記チャージポンプ回路が故障していると判断する請求項１から７のいずれか一項に記載の電圧検出装置。
【発明の詳細な説明】
【技術分野】
【０００１】
本発明は、入力ノードに与えられる電圧を検出する電圧検出装置に関する。
【背景技術】
【０００２】
例えば、リチウムイオン電池の電圧を検出する電圧検出装置など、電圧の検出精度として非常に高い精度が要求されるとともに、高い機能安全性が求められる電圧検出装置においては、自身の故障を精度良く検出する機能を有する必要がある。また、このような電圧検出装置は、例えば、検出対象の電池セルを選択するマルチプレクサに用いられるスイッチを駆動するための昇圧電圧を生成するチャージポンプ回路を備えている。
【０００３】
この場合、チャージポンプ回路が故障すると、上記スイッチを駆動することができなくなるため、電池セルの電圧信号が後段の検出回路に正しく伝達されなくなり、その結果、電圧の検出精度が低下してしまう。したがって、上記電圧検出装置において、チャージポンプ回路の故障を精度良く検出することは非常に重要なこととなる。
【０００４】
例えば、特許文献１には、電池セルの電圧を入力するバッファアンプを駆動するための昇圧電圧を生成するチャージポンプ回路の故障検出の方法が開示されている。この場合、チャージポンプ回路をバイパスするスイッチを設け、そのスイッチをオンしたときのバッファアンプの出力とオフしたときのバッファアンプの出力の差分によりチャージポンプ回路の故障を検出するようになっている。
【先行技術文献】
【特許文献】
【０００５】
【特許文献１】特許第５６０６８５７号公報
【発明の概要】
【発明が解決しようとする課題】
【０００６】
特許文献１記載の方法では、チャージポンプ回路が完全に故障し、その昇圧電圧の供給を受けて駆動されるバッファアンプが完全に駆動不可能となった場合には、チャージポンプ回路の故障を検出することができる。しかし、この方法では、チャージポンプ回路が所望するよりも低い昇圧電圧を出力する、といった微小な故障の状態（以下、半故障状態とも呼ぶ）になった場合、その故障を検出することができない。つまり、特許文献１記載の方法では、故障の検出精度を十分に高めることができない。
【０００７】
本発明は上記事情に鑑みてなされたものであり、その目的は、チャージポンプ回路の故障を精度良く検出することができる電圧検出装置を提供することにある。
【課題を解決するための手段】
【０００８】
請求項１に記載の電圧検出装置（２５、３１、４１、５１、６１、７１）は、入力ノード（４Ｎ、９）に与えられる電圧を検出するものであり、入力ノードから電圧を検出する電圧検出回路（１０）に至る経路に直列に介在するスイッチング素子（１３、１４）と、入力電圧を昇圧してスイッチング素子をオン駆動するための昇圧電圧を生成するチャージポンプ回路（１５、５４）とを備えている。このような構成において、チャージポンプ回路が完全に故障した場合、チャージポンプ回路は昇圧電圧を生成することができない。そうすると、スイッチング素子をオンすることができなくなるため、電圧検出回路による電圧検出を行うこともできない。このような場合、電圧検出回路による電圧の検出値が正常時とは大きく異なる値となるため、容易に故障を検出することができる。
【０００９】
これに対し、チャージポンプ回路が半故障状態となった場合、チャージポンプ回路が生成する昇圧電圧が所望するよりも低くなる。そのため、スイッチング素子は、十分にはオンできないものの、そのオン抵抗が高い状態でオンされることになる。そうすると、電圧検出回路による電圧検出は行われるものの、その検出値が正常時から少しずれた値となるため、故障判定の閾値設定が困難であり、容易に故障を検出することができない。
【００１０】
そこで、電圧検出装置は、さらに、昇圧能力低下部（１９、３３、４３、５３、６５、７３）および故障検出部（２４）を備えている。昇圧能力低下部は、チャージポンプ回路の昇圧能力を低下させる能力低下動作を実行する。チャージポンプ回路は、その昇圧能力が低下すると、生成する昇圧電圧が所望する電圧よりも低くなってしまう。つまり、チャージポンプ回路の昇圧能力を低下させる、ということは、チャージポンプ回路を故障状態側へと遷移させることを意味する。したがって、半故障状態のチャージポンプ回路に対し、昇圧能力低下動作を実行すれば、チャージポンプ回路により生成される昇圧電圧が一層低下する。その結果、スイッチング素子は、オンすることができなくなったり、あるいはオン抵抗が一層高い状態でしかオンできなくなったりする。そうすると、電圧検出回路から出力される検出電圧の値は、正常時から大きくずれた値となる。
【００１１】
このような点を考慮し、故障検出部は、昇圧能力低下部による能力低下動作が実行されていない期間に電圧検出回路から出力される検出電圧の値である第１検出値と、能力低下動作が実行されている期間に電圧検出回路から出力される第２検出値と、に基づいて、チャージポンプ回路の故障を検出する。この場合、チャージポンプ回路が半故障状態であると、第１検出値と第２検出値とが大きく異なる値となる。そのため、故障検出部は、第１検出値および第２検出値に基づいてチャージポンプ回路の故障を容易に検出することができる。したがって、上記構成によれば、チャージポンプ回路の故障を精度良く検出することができるという優れた効果が得られる。
【図面の簡単な説明】
【００１２】
【図１】第１実施形態に係る電圧検出装置の構成を模式的に示す図
【図２】第１実施形態に係る電流制御信号、チャージポンプ回路の出力電圧およびセル検出電圧を模式的に示すタイミングチャート
【図３】第２実施形態に係る電圧検出装置の構成を模式的に示す図
【図４】第２実施形態に係るクロック信号、チャージポンプ回路の出力電圧およびセル検出電圧を模式的に示すタイミングチャート
【図５】第３実施形態に係る電圧検出装置の構成を模式的に示す図
【図６】第３実施形態に係るクロック信号、チャージポンプ回路の出力電圧およびセル検出電圧を模式的に示すタイミングチャート
【図７】第４実施形態に係る電圧検出装置の構成を模式的に示す図
【図８】第４実施形態に係るチャージポンプ回路の具体的な構成を模式的に示す図
【図９】第４実施形態に係る容量切替信号、チャージポンプ回路の出力電圧およびセル検出電圧を模式的に示すタイミングチャート
【図１０】第５実施形態に係る電圧検出装置の構成を模式的に示す図
【図１１】第６実施形態に係る電圧検出装置の構成を模式的に示す図
【発明を実施するための形態】
【００１３】
以下、本発明の複数の実施形態について図面を参照して説明する。なお、各実施形態において実質的に同一の構成には同一の符号を付して説明を省略する。
（第１実施形態）
以下、本発明の第１実施形態について図１および図２を参照して説明する。
【００１４】
図１に示すように、組電池１は、リチウムイオン電池などの二次電池である複数個の電池セル２（１、２、３、…）が多段に直列接続された構成となっている。
電池セル２の電圧を監視する電池監視ＩＣ３は、各電池セル２の低電位側端子に対応した接続端子４Ｎ（１、２、３、…）を備え、各接続端子４Ｎは放電用抵抗素子５（１、２、３、…）を介して、対応する電池セル２の低電位側端子にそれぞれ接続されている。なお、例えば電池セル２（１）の高電位側端子は、その上段側、つまり高電圧側の電池セル２（２）の低電位側端子と共通であるから、電池セル２の高電位側端子に対応した接続端子を４Ｐとすれば、接続端子４Ｐ（１）は接続端子４Ｎ（２）に相当する。
【００１５】
各電池セル２の高電位側端子、低電位側端子には、抵抗素子６（１、２、３、…）およびコンデンサ７（１、２、３、…）の直列回路が接続されており、これらはＲＣフィルタ８（１、２、３、…）を構成している。電池監視ＩＣ３において、各電池セル２に対応する接続端子４Ｎの間には、フィルタ接続端子９（１、２、３、…）が設けられている。フィルタ接続端子９には、抵抗素子６およびコンデンサ７の共通接続点であるＲＣフィルタ８の出力端子が接続されている。本実施形態では、接続端子４Ｎおよびフィルタ接続端子９は、入力ノードに相当する。
【００１６】
電池監視ＩＣ３は、電圧検出回路１０、制御装置１１および駆動回路１２を備えている。各電池セル２に対応するフィルタ接続端子９および接続端子４Ｎは、それぞれスイッチ１３（１、２、３、…）およびスイッチ１４（１、２、３、…）を介して電圧検出回路１０の各入力端子に共通に接続されている。スイッチ１３、１４は、接続端子４Ｎおよびフィルタ接続端子９から電圧検出回路１０に至る経路に直列に介在するスイッチング素子に相当する。制御装置１１は、駆動回路１２を介してスイッチ１３、１４を駆動する。制御装置１１は、スイッチ１３、１４のオンオフを制御し、電圧検出回路１０に各電池セル２の電圧を個別に検出させる。
【００１７】
電圧検出回路１０による電圧の検出結果を表す検出電圧（セル検出電圧）は、制御装置１１に与えられる。本実施形態では、スイッチ１３、１４は、例えばＮチャネル型のＭＯＳトランジスタにより構成されている。そのため、スイッチ１３、１４をオンするためには、トランジスタのドレイン電圧、つまり各電池セル２の電圧よりも高い電圧をゲートに与える必要がある。そこで、電池監視ＩＣ３は、スイッチ１３、１４をオン駆動するための昇圧電圧を生成するチャージポンプ回路１５を備えている。
【００１８】
チャージポンプ回路１５は、２つのダイオードＤ１、Ｄ２および２つのコンデンサＣ１、Ｃ２を備えた周知の構成である。チャージポンプ回路１５の入力端子Ｐｉには、電源端子１６を通じて電池監視ＩＣ３に入力される入力電圧Ｖｉが与えられている。なお、入力電圧Ｖｉは、例えば、所定数の電池セル２からなるブロックの電圧（＝ブロック電圧）となっている。チャージポンプ回路１５は、入力電圧Ｖｉを昇圧して出力する。チャージポンプ回路１５の出力端子Ｐｏを通じて出力される出力電圧Ｖｏは、駆動回路１２に与えられている。
【００１９】
チャージポンプ回路１５を動作させるためのクロック信号ＣＬＫ、ＣＬＫバーは、クロック生成装置１７により生成される。なお、クロック信号ＣＬＫバーは、クロック信号ＣＬＫの反転信号であり、図１などでは、ＣＬＫの上に「−」を付して示している。クロック生成装置１７は、電源装置１８から電源電圧の供給を受けて動作する。クロック生成装置１７および電源装置１８の動作は、制御装置１１により制御される。クロック生成装置１７は、電源装置１８から供給される電源電圧に対応した電圧レベルＶclkであり、且つ所定の周波数ｆCHGのクロック信号ＣＬＫ、ＣＬＫバーを生成する。
【００２０】
電池監視ＩＣ３は、チャージポンプ回路１５の昇圧能力を低下させる能力低下動作を実行する昇圧能力低下部１９を備えている。ここで、チャージポンプ回路１５による昇圧量ΔＶ（以下、チャージポンプ電圧ΔＶと称す）は、ダイオードＤ１、Ｄ２による電圧降下を無視すると、下記（１）式により表すことができる。ただし、チャージポンプ回路１５の出力電流をＩoutとし、チャージポンプ回路１５の最終段に設けられるコンデンサＣ２の容量をＣとする。
ΔＶ＝Ｖclk−（Ｉout／（ｆCHG×Ｃ））      …（１）
【００２１】
上記（１）から明らかなように、チャージポンプ回路１５のチャージポンプ電圧ΔＶを低下させる、つまり昇圧能力を低下させる方法としては、下記（ａ）〜（ｄ）の方法が考えられる。
（ａ）出力電流Ｉoutを増加させる
（ｂ）周波数ｆCHGを低下させる
（ｃ）電圧レベルＶclkを低下させる
（ｄ）容量Ｃを低下させる
【００２２】
本実施形態の昇圧能力低下部１９は、上記（ａ）の方法を用いてチャージポンプ回路１５の昇圧能力を低下させる構成となっている。すなわち、昇圧能力低下部１９は、チャージポンプ回路１５の出力電流Ｉoutを可変する電流可変部２０と、その電流可変部２０の動作を制御する制御装置１１により構成されている。
【００２３】
この場合、電流可変部２０は、定電流源２１およびスイッチ２２の直列回路により構成されている。その直列回路の一方の端子はチャージポンプ回路１５の出力端子Ｐｏに接続され、他方の端子は、基準電位端子２３に接続されている。基準電位端子２３は、回路の基準電位が与えられる端子であり、例えば組電池１の最下段の電池セル２の低電位側端子に接続されている。
【００２４】
スイッチ２２のオンオフは、制御装置１１から出力される電流制御信号Ｓａに基づいて制御される。この場合、スイッチ２２は、電流制御信号Ｓａがハイレベル（Ｈレベル）である場合にオン（ＯＮ）されるとともに、ロウレベル（Ｌレベル）である場合にオフ（ＯＦＦ）される。
【００２５】
このような構成によれば、スイッチ２２がオフのとき、チャージポンプ回路１５の出力電流Ｉoutは定常値となる。つまり、スイッチ２２がオフの期間は、出力電流Ｉoutが増加されておらず、昇圧能力低下部１９による能力低下動作が実行されていない期間に相当する。一方、スイッチ２２がオンのとき、チャージポンプ回路１５の出力電流Ｉoutは、定常値に定電流源２１の電流値を加えた電流値となり、定常値よりも大きな値となる。つまり、スイッチ２２がオンの期間は、出力電流Ｉoutが増加されており、昇圧能力低下部１９による能力低下動作が実行されている期間に相当する。
【００２６】
このように、昇圧能力低下部１９では、制御装置１１がスイッチ２２をオンすることにより出力電流Ｉoutを増加させ、それによりチャージポンプ回路１５の昇圧能力を低下させる能力低下動作を実現している。なお、定電流源２１の電流値は、各回路の仕様や制御装置１１の性能などに応じて、後述するチャージポンプ回路１５の故障判定を所望する精度で行い得るような値に設定されている。
【００２７】
制御装置１１は、外部のマイコン２４と通信を介してデータの送受信を行うようになっている。マイコン２４は、チャージポンプ回路１５の故障を検出する故障検出部に相当する。なお、本実施形態では、電池監視ＩＣ３およびマイコン２４により電圧検出装置２５が構成されている。この場合、マイコン２４は、制御装置１１に対し、昇圧能力低下部１９による能力低下動作の実行および停止を指令する。また、制御装置１１は、セル検出電圧に対応したデータをマイコン２４に送信する。
【００２８】
マイコン２４は、昇圧能力低下部１９による能力低下動作が実行されていない期間に得られたセル検出電圧の値である第１検出値Ｖ１と、昇圧能力低下部１９による能力低下動作が実行されている期間に得られたセル検出電圧の値である第２検出値Ｖ２とに基づいてチャージポンプ回路１５の故障を検出する。
【００２９】
具体的には、マイコン２４は、第１検出値Ｖ１と第２検出値Ｖ２の差分の絶対値（＝｜Ｖ１−Ｖ２｜）が所定の閾値Ｖｔｈ未満である場合、チャージポンプ回路１５が正常であると判定し、閾値Ｖｔｈ以上である場合、チャージポンプ回路１５が故障であると判定する。マイコン２４は、このような検出動作を、電圧検出装置２５が動作している際、定期的に実行する。なお、上記検出動作は、電圧検出装置２５の起動時に実行してもよい。
【００３０】
次に、上記構成の作用について説明する。
図２に示すように、電流制御信号Ｓａがロウレベルである期間Ｔａ、つまりスイッチ２２がオフされて能力低下動作が停止されている期間Ｔａのうち、所定の検出タイミングｔ１におけるセル検出電圧の値が第１検出値Ｖ１として取得される。なお、この場合、検出タイミングｔ１以前に、各スイッチ１３、１４のうち、検出対象の電池セル２と電圧検出回路１０との間に介在するスイッチがオンされている。その後、電流制御信号Ｓａがハイレベルである期間Ｔｂ、つまりスイッチ２２がオンされて能力低下動作が実行されている期間Ｔｂのうち、所定の検出タイミングｔ２におけるセル検出電圧の値が第２検出値Ｖ２として取得される。
【００３１】
チャージポンプ回路１５が正常である場合、期間Ｔａの出力電圧Ｖｏの値と期間Ｔｂの出力電圧Ｖｏの値とは大きく異なることはない。そのため、チャージポンプ回路１５が正常である場合、第１検出値Ｖ１（図２では符号Ａを付して示す）と第２検出値Ｖ２（図２では符号Ａ’を付して示す）とは概ね同一の値となる。したがって、第１検出値Ｖ１と第２検出値Ｖ２の差分の絶対値が閾値Ｖｔｈ未満となり、チャージポンプ回路１５が正常であると判定される。
【００３２】
これに対し、チャージポンプ回路１５が半故障状態（微小故障）である場合、期間Ｔａの出力電圧Ｖｏの値と期間Ｔｂの出力電圧Ｖｏの値とは大きく異なった値となる。そのため、チャージポンプ回路１５が半故障状態である場合、例えば電池セル２の高電位側端子の電圧を検出する際、第２検出値Ｖ２（図２では符号Ｂ’を付して示す）が第１検出値Ｖ１（図２では符号Ｂを付して示す）に比べて大きく低下した値となる。したがって、第１検出値Ｖ１と第２検出値Ｖ２の差分の絶対値が閾値Ｖｔｈ以上となり、チャージポンプ回路１５が故障していると判定される。
【００３３】
以上説明した本実施形態によれば、次のような効果が得られる。
上記構成において、チャージポンプ回路１５が完全に故障した場合、チャージポンプ回路１５は昇圧電圧を生成することができない。そうすると、駆動回路１２がスイッチ１３、１４をオンすることができなくなるため、電圧検出回路１０による電圧検出を行うこともできない。このような場合、電圧検出回路１０から出力されるセル検出電圧が約０Ｖになるなど、電池セル２の電圧の検出値が正常時とは大きく異なる値となるため、容易に故障を検出することができる。
【００３４】
これに対し、チャージポンプ回路１５が半故障状態となった場合、チャージポンプ回路１５が生成する昇圧電圧が所望するよりも低くなる。そのため、駆動回路１２は、スイッチ１３、１４を、十分にはオンできないものの、そのオン抵抗が高い状態でオンすることが可能となる。そうすると、電圧検出回路１０による電圧検出は行われるものの、その検出値が正常時から少しずれた値となるため、故障判定の閾値設定が困難であり、容易に故障を検出することができない。
【００３５】
そこで、本実施形態では、チャージポンプ回路１５の昇圧能力を低下させる能力低下動作を実行する昇圧能力低下部１９を設けている。チャージポンプ回路１５は、その昇圧能力が低下すると、生成する昇圧電圧が所望する電圧よりも低くなってしまう。つまり、チャージポンプ回路１５の昇圧能力を低下させる、ということは、チャージポンプ回路１５を故障状態側へと遷移させることを意味する。したがって、半故障状態のチャージポンプ回路１５に対し、昇圧能力低下動作を実行すれば、チャージポンプ回路１５により生成される昇圧電圧が一層低下する。その結果、駆動回路１２は、スイッチ１３、１４をオンすることができなくなったり、あるいはオン抵抗が一層高い状態でしかオンできなくなったりする。そうすると、電圧検出回路１０から出力される検出電圧の値は、正常時から大きくずれた値となる。
【００３６】
このような点を考慮し、マイコン２４は、昇圧能力低下部１９による能力低下動作が実行されていない期間に電圧検出回路１０から出力される検出電圧の値である第１検出値Ｖ１と、能力低下動作が実行されている期間に電圧検出回路１０から出力される第２検出値Ｖ２とに基づいて、チャージポンプ回路１５の故障を検出する。この場合、チャージポンプ回路１５が半故障状態であると、第１検出値Ｖ１と第２検出値Ｖ２とが大きく異なる値となる。そのため、マイコン２４は、第１検出値Ｖ１および第２検出値Ｖ２の差分の絶対値が閾値Ｖｔｈ以上であるか否かの判定によってチャージポンプ回路１５の故障を容易に検出することができる。したがって、上記構成によれば、チャージポンプ回路１５の故障を精度良く検出することができるという優れた効果が得られる。
【００３７】
なお、チャージポンプ回路１５の故障判定を行う構成として、チャージポンプ回路１５の出力電圧に基づく判定を行う構成（以下、比較例と呼ぶ）を採用することも考えられる。ただし、比較例では、次のような問題がある。すなわち、チャージポンプ回路１５の出力電圧Ｖｏは、クロック信号ＣＬＫ、ＣＬＫバーによる切り替え動作に起因した変動（リップル）を有している。このような変動の有る不安定な出力電圧Ｖｏを閾値と比較することで故障を判定しようとしても、特に半故障状態などを精度良く検出することは難しく、その検出精度を向上することができない。
【００３８】
これに対し、電圧検出回路１０から出力されるセル検出電圧は、チャージポンプ回路１５の出力電圧Ｖｏのようなリップルを有していない。このような変動の無い安定したセル検出電圧を用いてチャージポンプ回路１５の故障を判定する本実施形態によれば、半故障状態なども精度良く検出することが可能となる。そのため、本実施形態によれば、比較例に比べ、チャージポンプ回路１５の故障についての検出精度を高めることができる。
【００３９】
（第２実施形態）
以下、第２実施形態について図３および図４を参照して説明する。
図３に示すように、本実施形態の電圧検出装置３１を構成する電池監視ＩＣ３２は、第１実施形態の電池監視ＩＣ３に対し、昇圧能力低下部１９に代えて昇圧能力低下部３３を備えている点が異なる。
【００４０】
本実施形態の昇圧能力低下部３３は、前述した（ｂ）の方法、つまり周波数ｆCHGを低下させることによりチャージポンプ回路１５の昇圧能力を低下させる構成となっている。昇圧能力低下部３３は、クロック生成装置３４と、そのクロック生成装置３４の動作を制御する制御装置１１により構成されている。
【００４１】
本実施形態のクロック生成装置３４は、生成するクロック信号ＣＬＫ、ＣＬＫバーの周波数ｆCHGを可変する機能を有するもので、周波数可変部に相当する。なお、この場合、電池監視ＩＣ３２は、電流可変部２０および基準電位端子２３を備えていない。クロック信号ＣＬＫ、ＣＬＫバーの周波数ｆCHGの変更は、制御装置１１により制御される。
【００４２】
このような構成の昇圧能力低下部３３では、制御装置１１がクロック信号ＣＬＫ、ＣＬＫバーの周波数ｆCHGを定常値よりも低下させ、それによりチャージポンプ回路１５の昇圧能力を低下させる能力低下動作を実現している。なお、周波数ｆCHGの低下量は、第１実施形態における定電流源２１の電流値と同様、各回路の仕様などに応じて故障判定を所望する精度で行い得るような値に設定すればよい。
【００４３】
次に、上記構成の作用および効果について説明する。
図４に示すように、クロック信号ＣＬＫ、ＣＬＫバーの周波数ｆCHGが低下されていない期間Ｔａ、つまり能力低下動作が停止されている期間Ｔａのうち、所定の検出タイミングｔ１におけるセル検出電圧の値が第１検出値Ｖ１として取得される。なお、この場合も、第１実施形態と同様、検出タイミングｔ１以前に、各スイッチ１３、１４のうち、検出対象の電池セル２と電圧検出回路１０との間に介在するスイッチがオンされている。その後、クロック信号ＣＬＫ、ＣＬＫバーの周波数ｆCHGが低下されている期間Ｔｂ、つまり能力低下動作が実行されている期間Ｔｂのうち、所定の検出タイミングｔ２におけるセル検出電圧の値が第２検出値Ｖ２として取得される。
【００４４】
本実施形態でも、第１実施形態と同様、チャージポンプ回路１５が正常である場合、第１検出値Ｖ１（図４では符号Ａを付して示す）と第２検出値Ｖ２（図４では符号Ａ’を付して示す）とは概ね同一の値となる。したがって、第１検出値Ｖ１と第２検出値Ｖ２の差分の絶対値が閾値Ｖｔｈ未満となり、チャージポンプ回路１５が正常であると判定される。
【００４５】
また、チャージポンプ回路１５が半故障状態（微小故障）である場合、第２検出値Ｖ２（図２では符号Ｂ’を付して示す）が第１検出値Ｖ１（図２では符号Ｂを付して示す）に比べて大きく低下した値となる。したがって、第１検出値Ｖ１と第２検出値Ｖ２の差分の絶対値が閾値Ｖｔｈ以上となり、チャージポンプ回路１５が故障していると判定される。
【００４６】
このように、本実施形態によっても、第１実施形態と同様、マイコン２４は、第１検出値Ｖ１および第２検出値Ｖ２の差分の絶対値が閾値Ｖｔｈ以上であるか否かの判定によってチャージポンプ回路１５の故障を容易に検出することができる。したがって、本実施形態によっても、第１実施形態と同様の効果を得ることができる。
【００４７】
（第３実施形態）
以下、第３実施形態について図５および図６を参照して説明する。
図５に示すように、本実施形態の電圧検出装置４１を構成する電池監視ＩＣ４２は、第１実施形態の電池監視ＩＣ３に対し、昇圧能力低下部１９に代えて昇圧能力低下部４３を備えている点が異なる。
【００４８】
本実施形態の昇圧能力低下部４３は、前述した（ｃ）の方法、つまり電圧レベルＶclkを低下させることによりチャージポンプ回路１５の昇圧能力を低下させる構成となっている。昇圧能力低下部４３は、クロック生成装置４４と、そのクロック生成装置４４の動作を制御する制御装置１１により構成されている。
【００４９】
本実施形態のクロック生成装置４４は、生成するクロック信号ＣＬＫ、ＣＬＫバーの電圧レベルＶclkを可変する機能を有するもので、電圧可変部に相当する。なお、この場合、電池監視ＩＣ４２は、電流可変部２０および基準電位端子２３を備えていない。クロック信号ＣＬＫ、ＣＬＫバーの電圧レベルＶclkの変更は、制御装置１１により制御される。
【００５０】
このような構成の昇圧能力低下部４３では、制御装置１１がクロック信号ＣＬＫ、ＣＬＫバーの電圧レベルＶclkを定常値よりも低下させ、それによりチャージポンプ回路１５の昇圧能力を低下させる能力低下動作を実現している。なお、電圧レベルＶclkの低下量は、第１実施形態における定電流源２１の電流値と同様、各回路の仕様などに応じて故障判定を所望する精度で行い得るような値に設定すればよい。
【００５１】
次に、上記構成の作用および効果について説明する。
図６に示すように、クロック信号ＣＬＫ、ＣＬＫバーの電圧レベルＶclkが低下されていない期間Ｔａ、つまり能力低下動作が停止されている期間Ｔａのうち、所定の検出タイミングｔ１におけるセル検出電圧の値が第１検出値Ｖ１として取得される。なお、この場合も、第１実施形態と同様、検出タイミングｔ１以前に、各スイッチ１３、１４のうち、検出対象の電池セル２と電圧検出回路１０との間に介在するスイッチがオンされている。その後、クロック信号ＣＬＫ、ＣＬＫバーの電圧レベルＶclkが低下されている期間Ｔｂ、つまり能力低下動作が実行されている期間Ｔｂのうち、所定の検出タイミングｔ２におけるセル検出電圧の値が第２検出値Ｖ２として取得される。
【００５２】
本実施形態でも、第１実施形態と同様、チャージポンプ回路１５が正常である場合、第１検出値Ｖ１（図６では符号Ａを付して示す）と第２検出値Ｖ２（図６では符号Ａ’を付して示す）とは概ね同一の値となる。したがって、第１検出値Ｖ１と第２検出値Ｖ２の差分の絶対値が閾値Ｖｔｈ未満となり、チャージポンプ回路１５が正常であると判定される。
【００５３】
また、チャージポンプ回路１５が半故障状態（微小故障）である場合、第２検出値Ｖ２（図６では符号Ｂ’を付して示す）が第１検出値Ｖ１（図６では符号Ｂを付して示す）に比べて大きく低下した値となる。したがって、第１検出値Ｖ１と第２検出値Ｖ２の差分の絶対値が閾値Ｖｔｈ以上となり、チャージポンプ回路１５が故障していると判定される。
【００５４】
このように、本実施形態によっても、第１実施形態と同様、マイコン２４は、第１検出値Ｖ１および第２検出値Ｖ２の差分の絶対値が閾値Ｖｔｈ以上であるか否かの判定によってチャージポンプ回路１５の故障を容易に検出することができる。したがって、本実施形態によっても、第１実施形態と同様の効果を得ることができる。
【００５５】
（第４実施形態）
以下、第４実施形態について図７〜図９を参照して説明する。
図７に示すように、本実施形態の電圧検出装置５１を構成する電池監視ＩＣ５２は、第１実施形態の電池監視ＩＣ３に対し、昇圧能力低下部１９に代えて昇圧能力低下部５３を備えている点が異なる。
【００５６】
本実施形態の昇圧能力低下部５３は、前述した（ｄ）の方法、つまり容量Ｃを低下させることによりチャージポンプ回路の昇圧能力を低下させる構成となっている。昇圧能力低下部５３は、チャージポンプ回路５４の一部の構成（詳細は後述する）と、その動作を制御する制御装置１１により構成されている。
【００５７】
本実施形態のチャージポンプ回路５４は、チャージポンプ回路１５に対し、コンデンサＣ２に代えてコンデンサＣ５１を備えている点が異なる。コンデンサＣ５１は、その容量を変更する容量可変部としての機能を有している。この容量可変部として機能するコンデンサＣ５１は、前述したチャージポンプ回路５４の一部の構成に相当し、制御装置１１とともに昇圧能力低下部５３を構成する。
【００５８】
コンデンサＣ５１の容量Ｃは、制御装置１１から与えられる容量切替信号Ｓｂに基づいて切り替えられる。具体的には、コンデンサＣ５１の容量Ｃは、容量切替信号Ｓｂがロウベルのときに定常値となり、ハイレベルのときに定常値よりも低下した値となるように切り替えられる。
【００５９】
このようなコンデンサＣ５１の具体的な構成としては、例えば図８に示すような構成を採用することができる。図８に示すように、コンデンサＣ５１は、コンデンサＣ５２と、そのコンデンサＣ５２の端子間に接続されたスイッチＳ５１およびコンデンサＣ５３の直列回路と、から構成されている。スイッチＳ５１のオンオフは、容量切替信号Ｓｂに応じて切り替えられる。具体的には、スイッチ５１は、容量切替信号Ｓｂがロウレベルのときにオンされ、ハイレベルのときにオフされる。
【００６０】
この場合、コンデンサＣ５２およびＣ５３の並列合成容量は、チャージポンプ回路１５のコンデンサＣ２の容量と同程度に設定されている。したがって、容量切替信号ＳｂがロウレベルとなってスイッチＳ５１がオンされると、コンデンサＣ５１の容量は、コンデンサＣ２と同じ容量となる。これに対し、容量切替信号ＳｂがハイレベルとなってスイッチＳ５１がオフされると、コンデンサＣ５１の容量は、コンデンサＣ２の容量よりも小さい容量となる。
【００６１】
このような構成により、本実施形態の昇圧能力低下部５３では、制御装置１１が容量切替信号Ｓｂをハイレベルにすることでチャージポンプ回路５４の最終段のコンデンサＣ５１の容量を定常値よりも低下させ、それによりチャージポンプ回路１５の昇圧能力を低下させる能力低下動作を実現している。なお、コンデンサＣ５１の容量の低下量は、第１実施形態における定電流源２１の電流値と同様、各回路の仕様などに応じて故障判定を所望する精度で行い得るような値に設定すればよい。
【００６２】
次に、上記構成の作用および効果について説明する。
図９に示すように、容量切替信号ＳｂがロウレベルとなってコンデンサＣ５１の容量が定常値となっている期間Ｔａ、つまり能力低下動作が停止されている期間Ｔａのうち、所定の検出タイミングｔ１におけるセル検出電圧の値が第１検出値Ｖ１として取得される。なお、この場合も、第１実施形態と同様、検出タイミングｔ１以前に、各スイッチ１３、１４のうち、検出対象の電池セル２と電圧検出回路１０との間に介在するスイッチがオンされている。その後、容量切替信号ＳｂがハイレベルとなってコンデンサＣ５１の容量が低下されている期間Ｔｂ、つまり能力低下動作が実行されている期間Ｔｂのうち、所定の検出タイミングｔ２におけるセル検出電圧の値が第２検出値Ｖ２として取得される。
【００６３】
本実施形態でも、第１実施形態と同様、チャージポンプ回路５４が正常である場合、第１検出値Ｖ１（図９では符号Ａを付して示す）と第２検出値Ｖ２（図９では符号Ａ’を付して示す）とは概ね同一の値となる。したがって、第１検出値Ｖ１と第２検出値Ｖ２の差分の絶対値が閾値Ｖｔｈ未満となり、チャージポンプ回路５４が正常であると判定される。
【００６４】
また、チャージポンプ回路５４が半故障状態（微小故障）である場合、第２検出値Ｖ２（図９では符号Ｂ’を付して示す）が第１検出値Ｖ１（図９では符号Ｂを付して示す）に比べて大きく低下した値となる。したがって、第１検出値Ｖ１と第２検出値Ｖ２の差分の絶対値が閾値Ｖｔｈ以上となり、チャージポンプ回路５４が故障していると判定される。
【００６５】
このように、本実施形態によっても、第１実施形態と同様、マイコン２４は、第１検出値Ｖ１および第２検出値Ｖ２の差分の絶対値が閾値Ｖｔｈ以上であるか否かの判定によってチャージポンプ回路５４の故障を容易に検出することができる。したがって、本実施形態によっても、第１実施形態と同様の効果を得ることができる。
【００６６】
（第５実施形態）
以下、第５実施形態について図１０を参照して説明する。
図５に示すように、本実施形態の電圧検出装置６１を構成する電池監視ＩＣ６２は、第１実施形態の電池監視ＩＣ３に対し、電流可変部２０に代えて電流可変部６３を備えている点が異なる。
【００６７】
電流可変部６３は、電流可変部２０に対し、定電流源２１に代えて抵抗６４を備えている点が異なる。この場合、電流可変部６３と、その動作を制御する制御装置１１により昇圧能力低下部６５が構成されている。このような構成によっても、第１実施形態と同様、スイッチ２２がオフのとき、チャージポンプ回路１５の出力電流Ｉoutは定常値となり、スイッチ２２がオンのとき、チャージポンプ回路１５の出力電流Ｉoutが増加される。
【００６８】
このように、昇圧能力低下部６５では、制御装置１１がスイッチ２２をオンすることにより出力電流Ｉoutを増加させ、それによりチャージポンプ回路１５の昇圧能力を低下させる能力低下動作を実現している。なお、抵抗６４の抵抗値は、第１実施形態における定電流源２１の電流値と同様、各回路の仕様などに応じて故障判定を所望する精度で行い得るような値に設定すればよい。このような本実施形態によっても、第１実施形態と同様の作用および効果を得ることができる。
【００６９】
（第６実施形態）
以下、第６実施形態について図１１を参照して説明する。
上記各実施形態では、前述した（ａ）〜（ｄ）の方法のうちいずれか１つを用いてチャージポンプ回路の昇圧能力を低下させるような構成としていたが、（ａ）〜（ｄ）の方法のうち少なくとも２つを組み合わせてチャージポンプ回路の昇圧能力を低下させる構成としてもよい。本実施形態では、このような構成の一例について説明する。
【００７０】
図１１に示すように、本実施形態の電圧検出装置７１が備える電池監視ＩＣ７２は、第１実施形態の電池監視ＩＣ３に対し、クロック生成装置１７に代えて第２実施形態のクロック生成装置３４を備えている点が異なる。この場合、電流可変部２０、クロック生成装置３４および制御装置１１により昇圧能力低下部７３が構成されている。
【００７１】
昇圧能力低下部７３は、（ａ）および（ｂ）の方法、つまり出力電流Ｉoutを増加させるとともに周波数ｆCHGを低下させることによりチャージポンプ回路１５の昇圧能力を低下させる構成となっている。
【００７２】
本実施形態の構成によっても第１実施形態と同様の作用および効果が得られる。さらに、本実施形態によれば、次のような効果も得られる。すなわち、例えば、クロック信号ＣＬＫ、ＣＬＫバーに関する異常（電圧低下、周波数低下）が原因でチャージポンプ回路１５の昇圧能力が低下している状態（半故障状態）のとき、クロック信号ＣＬＫ、ＣＬＫバーの周波数ｆCHGや電圧レベルＶclkを低下させることにより昇圧能力低下動作を実現しようとしても、そもそもクロック生成装置１７などに故障が生じている可能性が高く、昇圧能力を低下させることができないおそれがある。昇圧能力を意図通りに低下することができなければ、特に半故障状態などの故障を精度良く検出することができない。
【００７３】
そこで、本実施形態では、クロック信号ＣＬＫ、ＣＬＫバーの周波数CHGの低下により昇圧能力を低下させるだけでなく、それに加えて出力電流Ｉoutを増加させることにより昇圧能力の低下を実現している。このようにすれば、より確実に昇圧能力を低下させることができ、その結果、クロック生成装置１７に故障が生じている場合でも、チャージポンプ回路１５の故障を精度良く検出することができる。
【００７４】
（その他の実施形態）
なお、本発明は上記し且つ図面に記載した各実施形態に限定されるものではなく、その要旨を逸脱しない範囲で任意に変形、組み合わせ、あるいは拡張することができる。
上記各実施形態では、第１検出値Ｖ１と第２検出値Ｖ２との差分の絶対値が閾値Ｖｔｈ未満である場合、チャージポンプ回路が正常であると判定し、閾値Ｖｔｈ以上である場合、チャージポンプ回路が故障であると判定するようになっていたが、故障判定の方法を次のように変更してもよい。すなわち、第１検出値Ｖ１と第２検出値Ｖ２との比（比率）が閾値Ｖｔｈ未満である場合、チャージポンプ回路が正常であると判定し、閾値Ｖｔｈ以上である場合、チャージポンプ回路が故障であると判定してもよい。
【００７５】
本発明は、組電池１の電池セル２の電圧を検出する電圧検出装置に限らず、入力ノードから電圧を検出する電圧検出回路に至る経路に介在するスイッチング素子を駆動するための昇圧電圧を生成するチャージポンプ回路を備えた電圧検出装置全般に適用することができる。
【００７６】
上記各実施形態では、故障検出部としての機能を電池監視ＩＣの外部に設けられたマイコン２４が実現するようになっていたが、これに代えて、故障検出部としての機能を、電池監視ＩＣの内部の構成、例えば制御装置１１などが実現するように変更してもよい。
【００７７】
本開示は、実施例に準拠して記述されたが、本開示は当該実施例や構造に限定されるものではないと理解される。本開示は、様々な変形例や均等範囲内の変形をも包含する。加えて、様々な組み合わせや形態、さらには、それらに一要素のみ、それ以上、あるいはそれ以下、を含む他の組み合わせや形態をも、本開示の範疇や思想範囲に入るものである。
【符号の説明】
【００７８】
４Ｎ…接続端子、９…フィルタ接続端子、１０…電圧検出回路、１３、１４…スイッチ、１５、５４…チャージポンプ回路、１９、３３、４３、５３、６５、７３…昇圧能力低下部、２０、６３…電流可変部、２１…定電流源、２２…スイッチ、２４…マイコン、２５、３１、４１、５１、６１、７１…電圧検出装置、３４、４４…クロック生成装置、６４…抵抗、Ｃ５１…コンデンサ。
【図１】
2018072234.tif 000003
【図２】
2018072234.tif 000004
【図３】
2018072234.tif 000005
【図４】
2018072234.tif 000006
【図５】
2018072234.tif 000007
【図６】
2018072234.tif 000008
【図７】
2018072234.tif 000009
【図８】
2018072234.tif 000010
【図９】
2018072234.tif 000011
【図１０】
2018072234.tif 000012
【図１１】
2018072234.tif 000013